(57)【要約】【課題】フィルタの洗浄効果が高く、しかも、フィルタの交換が容易なフィルタ装置を提供する。【解決手段】フィルタ装置は、ベース13に直立状に固定されている支持軸22と、支持軸22に着脱自在に取付られている両端閉鎖垂直円筒状フィルタ23とを備えている。支持軸22に、フィルタ23の内外を連通させる濾過済流体通路81が形成されている。【選択図】図１
2010064162.tif 000002
【特許請求の範囲】
【請求項１】
ベースに直立状に固定されている支持軸と、支持軸に着脱自在に取付られている両端閉鎖垂直円筒状フィルタとを備えており、支持軸に、フィルタの内外を連通させる濾過済流体通路が形成されているフィルタ装置。
【請求項２】
支持軸に対しフィルタが回転自在であり、フィルタ外面に向けられている複数の洗浄用ノズルが備えられている請求項１に記載のフィルタ装置。
【請求項３】
少なくとも１つの洗浄用ノズルが、噴出する流体の圧力によってフィルタを回転させうるようにフィルタ半径方向と異なる方向からフィルタ外面に向けられている請求項２に記載のフィルタ装置。
【請求項４】
フィルタが、プリーツの内外の折り目がそれぞれ周方向に並ぶように全体として垂直円筒状に形成されているプリーツ状フィルタエレメントと、フィルタエレメントの上下両端開口をそれぞれ閉鎖しかつ同両端がそれぞれ所定深さだけ埋め込まれて同両端と一体的に固化されている上下の加硫ゴム製端板とを備えており、両端板に中心孔が同心状に形成されており、両端板の中心孔に、支持軸に摺動自在にそれぞれはめ合わされている上下の軸受ブッシュがはめ込まれている請求項１〜３のいずれか１つに記載のフィルタ装置。
【請求項５】
支持軸外面に、下軸受ブッシュの下端面にシール接触させられた段が設けられている請求項４に記載のフィルタ装置。
【請求項６】
支持軸の上端部が、上軸受ブッシュの上方に突出させられており、支持軸の上方突出端部にキャップが被せられており、上軸受ブッシュの上端面およびキャップの下端面がシール接触させられている請求項４または５に記載のフィルタ装置。
【請求項７】
ベース、支持軸およびフィルタが、密閉状濾過タンク内に収容されており、濾過タンク内のフィルタ外に被濾過流体を供給する供給手段と、濾過済流体通路を通じて、フィルタ内から濾過タンク外に濾過済流体を排出する排出手段とを備えている請求項１〜６のいずれか１つに記載のフィルタ装置。
【請求項８】
被濾過流体が、被濾過固形物を含有した気体である請求項７に記載のフィルタ装置。
【請求項９】
ベースに直立状に固定されている支持軸に回転自在に支持されるフィルタであって、プリーツの内外の折り目がそれぞれ周方向に並ぶように全体として円筒状に形成されているプリーツ状フィルタエレメントと、フィルタエレメントの両端開口を閉鎖しかつフィルタエレメントの両端がそれぞれ所定深さだけ埋め込まれて同両端と一体的に固化されている一対の加硫ゴム製端板とを備えており、両端板に中心孔が同心状に形成されており、各端板の中心孔に、支持軸に摺動自在にはめ合わされる軸受ブッシュがはめ込まれているフィルタ。
【請求項１０】
パンチングメタル製補強部材を備えており、補強部材が、フィルタエレメントの内面に当てられている垂直円筒状胴壁と、胴壁の上下端にそれぞれ連なって、上下の端板に埋め込まれている頂壁および底壁とよりなる請求項９に記載のフィルタ。
【発明の詳細な説明】
【技術分野】
【０００１】
この発明は、流体、例えば、工作機械の切削液からスラッジを除去したり、工作機械から発生する霧状の微細ゴミ（オイルミスト）を除去するために用いられるフィルタ装置およびそのフィルタ装置に用いられるフィルタに関する。
【背景技術】
【０００２】
従来から、一般的に、フィルタは、目詰まりすることを避けられない。その場合、使い捨てか、逆洗をするか、使用場所から取出して、別の場所で高圧水で洗浄等をするようにしていた。
【０００３】
使い捨ての場合、消耗コストが大で、廃棄物が大量に発生する。逆洗の場合、目詰まりしたフィルタは目がふさがっているため、逆洗のための液はフィルタから滲み出る程度の液量となって、充分な洗浄力が得られ難い。洗浄力を強化するために液圧を上げると、フィルタが破壊する危険性があった。別の場所で洗浄する場合、作業が面倒で効率が悪い。
【０００４】
上記の問題点を解消するために、本出願人は、以下に記載のフィルタ装置を提案した（特許文献１参照。）。
【０００５】
このフィルタ装置は、垂直軸線の回りに回転自在に支持されている垂直円筒状フィルタと、フィルタ半径方向と同じ方向からフィルタ外面に向けられている洗浄用ノズルと、噴出する流体の圧力によってフィルタを回転させうようにフィルタ半径方向と異なる方向からフィルタ外面に向けられている回転用ノズルとを備えており、フィルタが、垂直回転軸を有する円筒状ボディの外面に被覆されており、ボディの外面に環状連絡通路が形成されており、ボディの内面に濾過液排出パイプが連絡通路と連通させられるように固定されており、ボディの上端面に、フィルタの上端部を保持する水平リング状トップカバーが、ボディの下端面に、フィルタの下端部を保持する水平リング状ボトムカバーがそれぞれ複数のボルトによって固定されているものである。
【０００６】
このフィルタ装置では、フィルタの回転とともにボディおよび濾過液排出パイプも回転させられるため、回転慣性質量が大である。
【０００７】
さらに、フィルタを交換する場合、ボディに対しトップカバーおよびボトムカバーを脱着する必要がある。そのためには、多数のボルトの取り外しを行わなければならず、フィルタの交換作業が面倒であった。
【特許文献１】特開２００８−０９３７８３号公報
【発明の開示】
【発明が解決しようとする課題】
【０００８】
この発明の目的は、フィルタの洗浄効果が高く、しかも、フィルタの交換が容易であるフィルタ装置およびそのフィルタ装置に用いられるフィルタを提供することにある。
【課題を解決するための手段】
【０００９】
この発明によるフィルタ装置は、ベースに直立状に固定されている支持軸と、支持軸に着脱自在に取付られている両端閉鎖垂直円筒状フィルタとを備えており、支持軸に、フィルタの内外を連通させる濾過済流体通路が形成されているものである。
【００１０】
この発明によるフィルタ装置では、フィルタを回転させる場合、フィルタ以外に回転させる必要のあるものが無いから、フィルタの回転慣性質量が小さくて済む。さらに、濾過済流体の排出を支持軸を通じて行えるから、その排出機構がコンパクトに設計できる。
【００１１】
さらに、支持軸に対しフィルタが回転自在であり、フィルタ装置に、フィルタ外面に向けられている複数の洗浄用ノズルが備わっていると、逆洗をする必要もなく、使用状態のままで、フィルタを洗浄することができる。したがって、フィルタの洗浄効果の高いフィルタ装置が得られる。
【００１２】
また、少なくとも１つの洗浄用ノズルが、噴出する流体の圧力によってフィルタを回転させうるようにフィルタ半径方向と異なる方向からフィルタ外面に向けられていると、フィルタの洗浄および回転を、ともに、フィルタ外面に向かって流体を噴出させることによって行うことができる。したがって、フィルタを回転させるために、とくに、アクチュエータのようなものを必要としない。
【００１３】
また、フィルタが、プリーツの内外の折り目がそれぞれ周方向に並ぶように全体として垂直円筒状に形成されているプリーツ状フィルタエレメントと、フィルタエレメントの上下両端開口をそれぞれ閉鎖しかつ同両端がそれぞれ所定深さだけ埋め込まれて同両端と一体的に固化されている上下の加硫ゴム製端板とを備えており、両端板に中心孔が同心状に形成されており、両端板の中心孔に、支持軸に摺動自在にそれぞれはめ合わされている上下の軸受ブッシュがはめ込まれていると、フィルタエレメントを上下の加硫ゴム製端板によって所望の形状に保持することができるし、上下の軸受ブッシュによってフィルタをスムースに回転させることができる。
【００１４】
また、支持軸外面に、下軸受ブッシュの下端面にシール接触させられた段が設けられていると、支持軸および下軸受ブッシュ間のシール性を確保することができる。
【００１５】
また、支持軸の上端部が、上軸受ブッシュの上方に突出させられており、支持軸の上方突出端部にキャップが被せられており、上軸受ブッシュの上端面およびキャップの下端面がシール接触させられていると、支持軸および上軸受ブッシュ間のシール性を確保することができる。
【００１６】
また、ベース、支持軸およびフィルタが、密閉状濾過タンク内に収容されており、フィルタ装置に、濾過タンク内のフィルタ外に被濾過流体を供給する供給手段と、濾過済流体通路を通じて、フィルタ内から濾過タンク外に濾過済流体を排出する排出手段とが備わっていると、濾過作業を連続して行うことができる。
【００１７】
また、被濾過流体が、被濾過固形物を含有した気体であると、オイルミスト等を含むエアをも効率良く除去することができる。
【００１８】
この発明によるフィルタは、ベースに直立状に固定されている支持軸に回転自在に支持されるフィルタであって、プリーツの内外の折り目がそれぞれ周方向に並ぶように全体として円筒状に形成されているプリーツ状フィルタエレメントと、フィルタエレメントの両端開口を閉鎖しかつフィルタエレメントの両端がそれぞれ所定深さだけ埋め込まれて同両端と一体的に固化されている一対の加硫ゴム製端板とを備えており、両端板に中心孔が同心状に形成されており、各端板の中心孔に、支持軸に摺動自在にはめ合わされる軸受ブッシュがはめ込まれているものである。
【００１９】
この発明によるフィルタでは、端板および軸受ブッシュを別の材質の部材によってつくることができるから、フィルタの濾過性能および回転性能を向上させることが期待できる。
【００２０】
さらに、フィルタに、パンチングメタル製補強部材が備わっており、補強部材が、フィルタエレメントの内面に当てられている垂直円筒状胴壁と、胴壁の上下端にそれぞれ連なって、上下の端板に埋め込まれている頂壁および底壁とよりなることが好ましい。
【発明の効果】
【００２１】
この発明によれば、フィルタの洗浄効果が高く、しかも、フィルタの交換が容易であるフィルタ装置およびそのフィルタ装置に用いるフィルタが提供される。
【発明を実施するための最良の形態】
【００２２】
この発明の実施の形態を図面を参照しながらつぎに説明する。
【００２３】
図１および図２を参照すると、上方開放状濾過タンク11内にはフィルタユニット12が収容されている。フィルタユニット12は、ベース13に支持されている。ベース13は、フィルタユニット12を挟んでその左右両側で相対させられた一対の垂直状側板14およびこれらの下端を連絡している水平底板15とよりなる。
【００２４】
フィルタユニット12は、両側板14の下縁に近接して渡されている水平状濾過済流体排出パイプ21と、濾過済流体排出パイプ21の長さの中程に直立状に固定されている支持軸22と、支持軸22に回転自在に支持されている上下両端閉鎖垂直円筒状フィルタ23とを備えている。
【００２５】
濾過済流体排出パイプ21には、濾過タンク11に貫通させられた濾過済流体搬送パイプ31が接続されている。濾過済流体搬送パイプ31には濾過済流体ポンプ32が備えられている。
【００２６】
両側板14の一方には下端開口垂直状洗浄液入口パイプ33が固定され、その他方には下端閉鎖垂直状洗浄液出口パイプ34が固定されている。洗浄液入口パイプ33および洗浄液出口パイプ34の上端開口同士は、洗浄液連通パイプ35によって接続されている。洗浄液連通パイプ35には洗浄液ポンプ36が備えられている。
【００２７】
洗浄液出口パイプ34には２つの洗浄用ノズル41が上下に備えられるとともに、２つの洗浄用ノズル41の間に１つの回転用ノズル42が備えられている。各洗浄用ノズル41は、フィルタ23半径方向と同じ方向からフィルタ23外面に向けられている。回転用ノズル42洗浄用ノズル41と、フィルタ23半径方向と異なる方向からフィルタ23外面に向けられている。
【００２８】
フィルタ23は、外観が全体として略垂直円筒状をなしているフィルタエレメント51と、フィルタエレメント51の上下両端開口をそれぞれ閉鎖している加硫ゴム製上端板52および下端板53と、フィルタエレメント51および上下の端板52、53を一体的に強化するためのパンチングメタル製補強部材54とを備えている。
【００２９】
両端板52、53には上下中心孔61、62が互いに同心となるように形成されている。両中心孔61、62には上下の軸受ブッシュ63、64がはめ込まれている。各軸受ブッシュ63、64の材質としては、ナイロン、ポリエチレン等の樹脂、銅合金が挙げられる。
【００３０】
フィルタエレメント51は、紙、繊維、金属メッシュ等の弾性素材にプリーツ加工を施すことによって製造されたものであって、プリーツの内外の折り目がそれぞれ周方向にそって並ぶように全体として筒状に形成されているものである。
【００３１】
補強部材54は、フィルタエレメント51の内面に当てられている垂直円筒状胴壁71と、胴壁71の上下端にそれぞれ連なって、上下の端板52、53に埋め込まれている頂壁72および底壁73とよりなる。
【００３２】
フィルタエレメント51、端板52、53および補強部材54は、ゴムの加硫成形によって、同時に、一体化されたものである。端板52、53の材質としては、液状ゴム、または弾力を有する樹脂（ウレタンゴム、シリコンゴム等液状で流し込みが可能なゴム）が採用される。筒状に成形したフィルタエレメント51の端部を、図示しない金型の端板52、53に相当するキャビティに挿入し、その状態でキャビティ内に上記の材料を流し込み、固化させる。その結果、フィルタエレメント51の両端部がそれぞれ端板52、53にこれの厚みに相当する深さだけ埋め込まれかつ同端部と一体的に固定される。また、端板の中心孔61、62もゴムの加硫成形時に形成される。
【００３３】
図３に、支持軸22の下端部およびその周辺部が詳細に示されている。支持軸22の下端面から軸線上を上向きに、濾過済流体通路81が形成されている。濾過済流体通路81の上端部には、フィルタ23の内部に開口された連通孔82が形成されている。濾過済流体通路81の下端開口は、濾過済流体排出パイプ21に連通させられている。
【００３４】
支持軸22の外面下端近くには上向き段部83が設けられている。一方、下軸受ブッシュ64外面の下端部にはシールフランジ84が設けられている。段部83上面およびシールフランジ84の下側面は、シール接触されられている。この接触部にはフィルタ23の自重が作用しており、これにより、支持軸22下端部および下端板53間のシール性が保持されている。
【００３５】
図４に、支持軸22の上端部およびその周辺部が詳細に示されている。支持軸22の上端部は、上軸受ブッシュ63の上方に突出させられており、この上方突出端部にはキャップ85が被せられている。キャップ85のスカートには止めねじ86がねじ込まれている。一方、上軸受ブッシュ63外面の上端部にはシールフランジ87が設けられている。キャップ85のスカートの下端面およびシールフランジ87の上側面は、シール接触されられている。この接触部に適切なシール圧が作用させられるようにキャップ85を位置させておいて、止めねじ86を締付けることによって、支持軸22上端部および上端板52間のシール性が保持されている。
【００３６】
濾過タンク11内の被濾過流体はフィルタ23を通過させられて濾過され、濾過済流体となる。フィルタ23内には処理済みの濾過済流体が溜められている。濾過済流体ポンプ32を作動させると、濾過済流体通路81および濾過済流体排出パイプ21に、フィルタ23内の濾過済流体が吸い込まれ、フィルタエレメント51の外側にある被濾過流体がフィルタエレメント51を通過させられる。
【００３７】
洗浄液ポンプ36を作動させると、濾過タンク11内の被濾過流体が洗浄液として、洗浄液入口パイプ33に吸い込まれる。吸い込まれた洗浄液は、洗浄液出口パイプ34を通じて、洗浄用ノズル41から、フィルタエレメント51外面にフィルタエレメント51半径方向から真っ直ぐに向けて噴射され、これにより、フィルタエレメント51外面に付着した汚濁物が吹き飛ばされる。一方、回転用ノズル42からは、洗浄液がフィルタエレメント51半径方向から所定角度をもってフィルタエレメント51外面に噴射され、その圧力によってフィルタ23が回転させられる。例えば、回転用ノズル42に供給される洗浄液の圧力を２〜３ｋｇ／ｃｍ２とするときに、フィルタ23の回転速度は、５０ｒｐｍ程度となる。
【００３８】
濾過は、一定間隔をおきながら繰り返し行われ、濾過が停止させられている間に、洗浄が行われる。あるいは、濾過が行われているか、停止させられているかに関わらず、洗浄を連続して行うようにしても良い。
【００３９】
洗浄用ノズル41および回転用ノズル42には、上記した被濾過流体に代わり、図示しない濾過済流体タンクから濾過済流体を供給し、濾過済流体によって、フィルタ23の洗浄・回転を行うようにしてもよい。
【００４０】
フィルタ23を交換する際は、支持軸22からキャップ85を取り外せば、そのまま、支持軸22からフィルタ23をはめ外すことができ、別のフィルタと交換することができる。
【００４１】
図５は、上軸受ブッシュ63の変形例を示すものである。上軸受ブッシュ63の上端部には閉鎖壁91が一体的に設けられている。上軸受ブッシュ63内に支持軸22の上端部全体が収まっている。この場合、図４に示すキャップ85のようなものは、必要としない。
【００４２】
つぎに、上記したフィルタユニット12の使用例を説明する。以下の使用例において、上記説明と対応する部分には、同一の符号を付すものとする。
【００４３】
図６に示すように、フィルタユニット12を収容した濾過タンク11は、垂直角筒状胴壁101および下細り四角錐状底壁102よりなる。胴壁101上端には蓋101aが被せられている。
【００４４】
胴壁101の上端には被濾過流体供給パイプ103およびオーバーフローパイプ104が反対方向を向くように接続されている。洗浄液出口パイプ34には、一端を胴壁101下端近くに接続した洗浄液連通パイプ35の他端から洗浄液が供給されるようになっている。底壁102の下端部には回収タンク105が接続されている。回収タンク105には開閉弁106が備えられている。
【００４５】
この使用例では、被濾過流体の連続処理が可能となる。この場合、被濾過流体が工作機械の切削液であるときに、好適である。切削液は、濾過タンク11内にほぼ充満されている。フィルタユニット12の全体は、液中に完全に沈入させられている。
【００４６】
被濾過流体供給パイプ103を通じて、濾過タンク11に被濾過流体が連続して供給される。フィルタユニット12によって濾過された濾過済流体は、濾過済流体排出パイプ21から連続して排出される。切削液に含まれていたスラッジ等は、フィルタ23によって濾過され、洗浄されて回収タンク105に溜められる。
【００４７】
蓋101aをあければ、図１および図２に示すフィルタ装置と同様に、フィルタ23の交換を容易に行うことができる。
【００４８】
図７および図８に、フィルタユニット12の他の使用例が示されている。この使用例は、被濾過流体の大量処理を可能とするものである。
【００４９】
この使用例では、上記したフィルタユニット12を複数用いている。複数のフィルタユニット12は、直列に並べられている。複数の濾過済流体排出パイプ21に相当するものによって、相当長さをもつ閉ループ状濾過済流体排出パイプ111が形成されている。
【００５０】
図９は、フィルタユニット12のさらなる他の使用例が示されている。この使用例は、図６に示すフィルタ装置と良く似ているが、被濾過流体がオイルミストを含むエアーのような気体である場合に好適である。
【００５１】
濾過タンク11は、図６に示すフィルタ装置と同様に、胴壁101および底壁102よりなるが、気密状となされている。
【００５２】
濾過タンク11の全体ではなく、底壁102部分だけに洗浄液が溜められている。フィルタユニット12の全体は、洗浄液から完全に浮上させられている。
【００５３】
この使用例においては、上記したフィルタユニット12と若干構造的に相違したフィルタユニット12が用いられている。フィルタユニット12の支持軸22は、パイプ状のものとなされている。支持軸22の下端開口は、濾過済流体排出パイプ21に連通させられている。支持軸22の周壁上端寄りの部分に連通口121があけられている。
【００５４】
被濾過流体供給パイプ103は、胴壁101の高さの中程に接続されている。フィルタユニット12の濾過済流体排出パイプ21には排気パイプ122が接続されている。排気パイプ122にはブロワ123が備えられている。
【００５５】
底壁102の高さの中程および洗浄液出口パイプ34は、洗浄液循環パイプ124によって接続されている。洗浄液循環パイプ124には洗浄ポンプ125が備えられている。
【００５６】
洗浄用ノズル41および回転用ノズル42は、図１および図２に示すフィルタ装置の場合と同様に、必要に応じて、連続的または間欠的に使用すればよい。洗浄用ノズル42および回転用ノズル42を使用する際に、洗浄液がフィルタ23内に進入する可能性があるが、進入した洗浄液は、回転させられるフィルタ23の遠心力によってフィルタ23外に排出される。
【００５７】
洗浄用ノズル41および回転用ノズル42の使用によって、フィルタエレメント51の外面には、洗浄液が付着させられる。フィルタエレメント51の外面が、常時、洗浄液で濡らされるようにしておけば、オイルミストから水分が蒸発し、オイルミストに含まれる油と、金属粉、砥石粒の固形物がフィルタエレメント51の外面に固着して目詰まりを起こすことを防止できる。
【図面の簡単な説明】
【００５８】
【図１】この発明によるフィルタ装置の垂直縦断面図である。
【図２】同水平横断面図である。
【図３】図１の一部拡大断面図である。
【図４】図１の、図３に示す部分とは別の部分の一部拡大断面図である。
【図５】図３に示す部分の変形例を示す断面図である。
【図６】同フィルタ装置の他の変形例を示す断面図である。
【図７】同フィルタ装置の他の変形例を示す側面図である。
【図８】同平面図である。
【図９】同フィルタ装置のさらなる他の変形例を示す断面図である。
【符号の説明】
【００５９】
13  ベース
22  支持軸
23  フィルタ
81  濾過済流体通路
【図１】
2010064162.tif 000003
【図２】
2010064162.tif 000004
【図３】
2010064162.tif 000005
【図４】
2010064162.tif 000006
【図５】
2010064162.tif 000007
【図６】
2010064162.tif 000008
【図７】
2010064162.tif 000009
【図８】
2010064162.tif 000010
【図９】
2010064162.tif 000011